(57)【特許請求の範囲】
【請求項１】
受信した放送波に基づくＴＳ(Transport Stream)パケットを、ネットワークを介して、受信装置へ再送信する再送信装置であって、
（１）現ＴＳパケットに含まれる循環カウンタ値（現循環カウンタ値）が、直前ＴＳパケットに含まれる循環カウンタ値（直前循環カウンタ値）に連続している場合、
現ＴＳパケットを保留蓄積し、
連続正常受信数ｎ＝ｎ＋１とし、
連続破棄受信数ｔ＝ｔ＋１とし、
連続正常受信数ｎが、第１の所定閾値数Ｎ以上（ｎ≧Ｎ）であると判定された際に、前記バッファに保留蓄積されているＴＳパケットを全て送信し、且つ、ｔ＝０とし、
（２）現循環カウンタ値が、直前循環カウンタ値に連続していない場合、
保留蓄積しているＴＳパケットを全て破棄し、
現ＴＳパケットを前記バッファに保留蓄積し、
連続正常受信数ｎ＝０とし、
連続破棄受信数ｔ＝ｔ＋１とし、
連続破棄受信数ｔが、第２の所定閾値数Ｔと等しい（ｔ＝Ｔ）と判定された際に、前記停波信号を送信する
ＴＳパケット判定手段を含むことを特徴とする再送信装置。
【請求項２】
前記ＴＳパケットは、ＡＲＩＢ ＳＴＤ−Ｂ３１規格に基づくものであり、
前記循環カウンタ値は、ＴＳＰカウンタ値(TSP_counter)である
ことを特徴とする請求項１に記載の再送信装置。
【請求項３】
前記ＴＳパケット判定手段から出力されたＴＳパケットを、ペイロードに形成するペイロード形成手段と、
前記ペイロードからＲＴＰ(Realtime Transport Protocol)パケットを生成するＲＴＰ処理手段と、
前記ＲＴＰパケットを、ＩＰ(Internet Protocol)パケットに構成し、複数の受信装置へマルチキャストで送信するＩＰマルチキャスト送信手段と
を更に有することを特徴とする請求項１又は２に記載の再送信装置。
【請求項４】
放送局からデジタル放送波を受信するアンテナと、
前記アンテナに接続される、チャネル毎の複数のチューナと、
前記チューナ毎に接続される、請求項１から３のいずれか１項に記載の複数の再送信装置とを有し、
ＩＰネットワークを介して複数の受信装置へ、前記ＴＳパケット含むＩＰパケットを送信することを特徴とする再送信設備システム。
【請求項５】
放送波に基づくＴＳパケットを受信することができる装置に搭載されたコンピュータを機能させるプログラムであって、前記ＴＳパケットを、ネットワークを介して、受信装置へ再送信するようにコンピュータを機能させる再送信プログラムであって、
（１）現ＴＳパケットに含まれる循環カウンタ値（現循環カウンタ値）が、直前ＴＳパケットに含まれる循環カウンタ値（直前循環カウンタ値）に連続している場合、
現ＴＳパケットを保留蓄積し、
連続正常受信数ｎ＝ｎ＋１とし、
連続破棄受信数ｔ＝ｔ＋１とし、
連続正常受信数ｎが、第１の所定閾値数Ｎ以上（ｎ≧Ｎ）であると判定された際に、前記バッファに保留蓄積されているＴＳパケットを全て送信し、且つ、ｔ＝０とし、
（２）現循環カウンタ値が、直前循環カウンタ値に連続していない場合、
保留蓄積しているＴＳパケットを全て破棄し、
現ＴＳパケットを前記バッファに保留蓄積し、
連続正常受信数ｎ＝０とし、
連続破棄受信数ｔ＝ｔ＋１とし、
連続破棄受信数ｔが、第２の所定閾値数Ｔと等しい（ｔ＝Ｔ）と判定された際に、前記停波信号を送信する
ＴＳパケット判定手段として機能するようにコンピュータを機能させることを特徴とする再送信プログラム。
【請求項６】
放送波に基づくＴＳパケットを受信することができる装置について、前記ＴＳパケットを、ネットワークを介して、受信装置へ再送信する再送信方法であって、
（１）現ＴＳパケットに含まれる循環カウンタ値（現循環カウンタ値）が、直前ＴＳパケットに含まれる循環カウンタ値（直前循環カウンタ値）に連続している場合、
現ＴＳパケットを保留蓄積し、
連続正常受信数ｎ＝ｎ＋１とし、
連続破棄受信数ｔ＝ｔ＋１とし、
連続正常受信数ｎが、第１の所定閾値数Ｎ以上（ｎ≧Ｎ）であると判定された際に、前記バッファに保留蓄積されているＴＳパケットを全て送信し、且つ、ｔ＝０とし、
（２）現循環カウンタ値が、直前循環カウンタ値に連続していない場合、
保留蓄積しているＴＳパケットを全て破棄し、
現ＴＳパケットを前記バッファに保留蓄積し、
連続正常受信数ｎ＝０とし、
連続破棄受信数ｔ＝ｔ＋１とし、
連続破棄受信数ｔが、第２の所定閾値数Ｔと等しい（ｔ＝Ｔ）と判定された際に、前記停波信号を送信する
ことを特徴とする再送信方法。
【発明の詳細な説明】
【技術分野】
【０００１】
本発明は、放送パケットを再送信する再送信装置、設備システム、プログラム及び方法に関する。
【背景技術】
【０００２】
近年、ＩＰ(Internet Protocol)ネットワークを介して、地上波デジタル放送のＴＳ(Transport Stream)パケット又はＭＰＥＧ２−ＴＳパケットを、マルチキャストによって伝送するサービスが検討されている（例えば非特許文献１参照）。具体的には、アンテナを用いてデジタル放送波を受信し、その受信信号に含まれるＴＳパケットを、ＩＰネットワークを介して受信装置へ再送信する。
【０００３】
図１は、従来技術におけるシステム構成図である。
【０００４】
図１によれば、放送局４から放送されたデジタル放送波（ＲＦ(Radio Frequency)信号）が、アンテナ１２によって受信されている。アンテナ１２は、チューナ１１に接続されており、チューナ１１は、その放送波信号に対して、特定チャネルにチューニングする。チューナ１１は、チューニングした放送波信号からＴＳパケットを取得し、そのＴＳパケットは、再送信装置１０へ送信される。
【０００５】
再送信装置１０は、チューナ１１から出力されたＴＳパケットをペイロードとしたＩＰパケットを構成する。そのＩＰパケットは、ＩＰネットワーク３を介して、受信装置２へ送信される。
【０００６】
受信装置２は、ＩＰネットワーク３を介して受信したＩＰパケットから、ＴＳパケットを取り出す。そして、そのＴＳパケットをＲＦ信号に変換する。そのＲＦ信号は、テレビのような再生装置５へ出力される。
【０００７】
図１のシーケンスによれば、放送局４から放送されるデジタル放送波が、アンテナ１２によって受信されなかった場合について表されている。エアを介して受信するデジタル放送波については、その放送が停止される場合もあるし、又は、場所及び時間によっては受信できない場合もある。そのような場合、アンテナ１２に接続されるチューナ１１には、ＲＦ信号が入力されない。このとき、チューナ１１は、ＴＳパケットの安定した出力レートを保つなどの理由により、無効なＴＳパケットを連続的に出力する場合がある。再送信装置１０は、これら無効ＴＳパケットも全て、ＩＰネットワーク３を介して受信装置２へ送信する。
【０００８】
【非特許文献１】ＫＤＤＩ株式会社、「ＫＤＤＩの電気通信役務利用放送事業への取組みと地上デジタル放送のＩＰ再送信対応について」、[online]、２００５年１１月１８日、［平成１９年９月１５日検索］、インターネット＜ＵＲＬ：http://www.soumu.go.jp/joho_tsusin/policyreports/joho_tsusin/joho_bukai/pdf/051118_1_04.pdf＞
【発明の開示】
【発明が解決しようとする課題】
【０００９】
しかしながら、前述したような従来技術によれば、チューナで付加された無効なＴＳパケットは、実質的に不必要である。停波時に、相手先の受信装置２に対する出力レートを安定させるだけのために、ＩＰネットワーク３へ無効なデータを連続的に送信し続けることは、有限な通信リソースを無駄に消費することとなる。
【００１０】
尚、受信装置２は、チューナで付加された無効なＴＳパケットを受信している場合、停波状態にあると判断することとなる。一方で、受信装置２は、ＴＳパケットを全く受信していない場合、ＩＰネットワーク３の障害と判断することとなる。
【００１１】
従って、本発明は、放送パケットを再送信する際に、ＩＰネットワークにおける通信リソースを無駄に消費することなく、放送波自体が受信できていないことを受信装置へ明示的に通知することができる再送信装置、設備システム、プログラム及び方法を提供することを目的とする。
【課題を解決するための手段】
【００１２】
本発明によれば、受信した放送波に基づくＴＳ(Transport Stream)パケットを、ネットワークを介して、受信装置へ再送信する再送信装置であって、
（１）現ＴＳパケットに含まれる循環カウンタ値（現循環カウンタ値）が、直前ＴＳパケットに含まれる循環カウンタ値（直前循環カウンタ値）に連続している場合、
現ＴＳパケットを保留蓄積し、
連続正常受信数ｎ＝ｎ＋１とし、
連続破棄受信数ｔ＝ｔ＋１とし、
連続正常受信数ｎが、第１の所定閾値数Ｎ以上（ｎ≧Ｎ）であると判定された際に、バッファに保留蓄積されているＴＳパケットを全て送信し、且つ、ｔ＝０とし、
（２）現循環カウンタ値が、直前循環カウンタ値に連続していない場合、
保留蓄積しているＴＳパケットを全て破棄し、
現ＴＳパケットをバッファに保留蓄積し、
連続正常受信数ｎ＝０とし、
連続破棄受信数ｔ＝ｔ＋１とし、
連続破棄受信数ｔが、第２の所定閾値数Ｔと等しい（ｔ＝Ｔ）と判定された際に、停波信号を送信する
ＴＳパケット判定手段を含むことを特徴とする。
【００１６】
本発明の再送信装置における他の実施形態によれば、
ＴＳパケットは、ＡＲＩＢ ＳＴＤ−Ｂ３１規格に基づくものであり、
循環カウンタ値は、ＴＳＰカウンタ値(TSP_counter)である
ことも好ましい。
【００１７】
本発明の再送信装置における他の実施形態によれば、
ＴＳパケット判定手段から出力されたＴＳパケットを、ペイロードに形成するペイロード形成手段と、
ペイロードからＲＴＰ(Realtime Transport Protocol)パケットを生成するＲＴＰ処理手段と、
ＲＴＰパケットを、ＩＰ(Internet Protocol)パケットに構成し、複数の受信装置へマルチキャストで送信するＩＰマルチキャスト送信手段と
を更に有することも好ましい。
【００１８】
本発明によれば、再送信設備システムであって、
放送局からデジタル放送波を受信するアンテナと、
アンテナに接続される、チャネル毎の複数のチューナと、
チューナ毎に接続される、前述した複数の再送信装置とを有し、
ＩＰネットワークを介して複数の受信装置へ、ＴＳパケット含むＩＰパケットを送信することを特徴とする。
【００１９】
本発明によれば、放送波に基づくＴＳパケットを受信することができる装置に搭載されたコンピュータを機能させるプログラムであって、ＴＳパケットを、ネットワークを介して、受信装置へ再送信するようにコンピュータを機能させる再送信プログラムであって、
（１）現ＴＳパケットに含まれる循環カウンタ値（現循環カウンタ値）が、直前ＴＳパケットに含まれる循環カウンタ値（直前循環カウンタ値）に連続している場合、
現ＴＳパケットを保留蓄積し、
連続正常受信数ｎ＝ｎ＋１とし、
連続破棄受信数ｔ＝ｔ＋１とし、
連続正常受信数ｎが、第１の所定閾値数Ｎ以上（ｎ≧Ｎ）であると判定された際に、バッファに保留蓄積されているＴＳパケットを全て送信し、且つ、ｔ＝０とし、
（２）現循環カウンタ値が、直前循環カウンタ値に連続していない場合、
保留蓄積しているＴＳパケットを全て破棄し、
現ＴＳパケットをバッファに保留蓄積し、
連続正常受信数ｎ＝０とし、
連続破棄受信数ｔ＝ｔ＋１とし、
連続破棄受信数ｔが、第２の所定閾値数Ｔと等しい（ｔ＝Ｔ）と判定された際に、停波信号を送信する
ＴＳパケット判定手段として機能するようにコンピュータを機能させることを特徴とする。
【００２０】
本発明によれば、放送波に基づくＴＳパケットを受信することができる装置について、ＴＳパケットを、ネットワークを介して、受信装置へ再送信する再送信方法であって、
（１）現ＴＳパケットに含まれる循環カウンタ値（現循環カウンタ値）が、直前ＴＳパケットに含まれる循環カウンタ値（直前循環カウンタ値）に連続している場合、
現ＴＳパケットを保留蓄積し、
連続正常受信数ｎ＝ｎ＋１とし、
連続破棄受信数ｔ＝ｔ＋１とし、
連続正常受信数ｎが、第１の所定閾値数Ｎ以上（ｎ≧Ｎ）であると判定された際に、バッファに保留蓄積されているＴＳパケットを全て送信し、且つ、ｔ＝０とし、
（２）現循環カウンタ値が、直前循環カウンタ値に連続していない場合、
保留蓄積しているＴＳパケットを全て破棄し、
現ＴＳパケットをバッファに保留蓄積し、
連続正常受信数ｎ＝０とし、
連続破棄受信数ｔ＝ｔ＋１とし、
連続破棄受信数ｔが、第２の所定閾値数Ｔと等しい（ｔ＝Ｔ）と判定された際に、停波信号を送信することを特徴とする。
【発明の効果】
【００２１】
本発明の再送信装置、設備システム、プログラム及び方法によれば、放送パケットを再送信する際に、ＩＰネットワークにおける通信リソースを無駄に消費することなく、放送波自体が受信できていないことを受信装置へ明示的に通知することができる。
【発明を実施するための最良の形態】
【００２２】
以下では、図面を用いて、本発明を実施するための最良の形態について詳細に説明する。
【００２３】
図２は、本発明におけるシステム構成図である。
【００２４】
図２によれば、図１と比較して、再送信装置１０は、ＴＳパケットに含まれる循環カウンタ値が、所定閾値数Ｎ以上連続したＴＳパケットのみが、ＩＰパケットに構成されて、受信装置２へ送信される。これによって、無効ＴＳパケットを、ＩＰネットワーク３に送信する必要がなくなる。
【００２５】
ＴＳパケットは、ＡＲＩＢ ＳＴＤ−Ｂ３１規格に基づく場合、循環カウンタ値は、ＴＳＰカウンタ値(TSP_counter)である。再送信装置１０は、チューナ１１から受信するＴＳパケットについて、そのＴＳＰカウンタ値における連続性を常に確認する。従って、連続性が確認されたＴＳパケットは、有効であるとして、ＩＰパケットに構成される。そのＩＰパケットは、ＩＰネットワーク３を介して受信装置２へ送信される。
【００２６】
一方、連続性が確認されなかったＴＳパケットは、破棄される。また、循環カウンタ値が、所定閾値数Ｔ以上連続しなかった場合、「停波信号」が受信装置２へ送信される。これによって、受信装置２は、放送波が休止又は停止されたと認識することができる。これは、再送信装置１０が、受信装置２へ、ＩＰネットワーク３における障害ではないことを明示的に伝えることになる。
【００２７】
図３は、本発明における再送信装置の機能構成図である。
【００２８】
図３によれば、再送信設備システム１が、放送局４から受信したデジタル放送波を、ＩＰネットワーク３に接続された複数の受信装置２へ、再送信している。このような再送信設備システム１は、通信事業者又は放送事業者によって設置される。再送信設備システム１は、チャネル毎に、再送信装置１０及びチューナ１１の組合せを備える。また、再送信装置１０は、受信装置２に対して、ＩＰネットワーク３を介してマルチキャストによって伝送する。受信装置２に接続された再生装置５の利用者は、チューナ１１で選択され、再送信設備システム１で再送信されるチャンネルを視聴することができる。
【００２９】
図３によれば、再送信装置１０は、ＴＳパケット受信部１０１と、ＴＳパケット判定部１０２と、ペイロード形成部１０３と、ＲＴＰ(Realtime Transport Protocol)処理部１０４と、ＩＰマルチキャスト送信部１０５とを有する。これら機能構成部は、再送信装置１０に搭載されたコンピュータによって機能させるプログラムを実行することによっても実現できる。
【００３０】
ＴＳパケット受信部１０１は、チューナ１１から、特定チャネルにおけるＴＳパケットを受信する。受信したＴＳパケットは、ＴＳパケット判定部１０２へ出力する。
【００３１】
ＴＳパケット判定部１０２は、ＴＳパケットに含まれるＴＳＰカウンタ値が、第１の所定閾値数Ｎ以上連続したか否かを判定し、連続したと判定された場合、それらＴＳパケットを再送信し、連続していないと判定された場合、それらＴＳパケットを破棄する。また、ＴＳパケット判定部１０２は、ＴＳＰカウンタ値が、第２の所定閾値数Ｔ以上連続していないか否かを更に判定し、連続していないと判定された場合、「停波信号」を受信装置２へ送信する。ＴＳパケット判定部１０２は、本発明における特徴部分である。
【００３２】
ペイロード形成部１０３は、ＴＳパケット判定部１０２から出力されたＴＳパケットを、ペイロードに形成する。形成されたペイロードは、ＲＴＰ処理部１０４へ出力される。
【００３３】
ＲＴＰ処理部１０４は、ペイロードからＲＴＰパケットを生成する。生成されたＲＴＰパケットは、ＩＰマルチキャスト送信部１０５へ出力される。
【００３４】
ＩＰマルチキャスト送信部１０５は、ＲＴＰパケットを、ＩＰパケットに構成し、複数の受信装置２へマルチキャストで送信する。
【００３５】
一方で、受信装置２は、ＩＰパケット受信部２１と、ＲＴＰ処理部２２と、ＲＦ信号生成部２３とを有する。ＩＰパケット受信部２１は、ＩＰネットワーク３を介して、再送信装置１０からＩＰパケットを受信し、ＩＰヘッダを取り除いたＲＴＰパケットを、ＲＴＰ処理部２２へ出力する。ＲＴＰ処理部２２は、そのＲＴＰパケットからＲＴＰヘッダを取り除き、そのＴＳパケットをＲＦ信号生成部２３へ出力する。ＲＦ信号生成部２３は、ＴＳパケットからＲＦ信号を生成し、そのＲＦ信号を再生装置５へ向けて出力する。
【００３６】
図４は、ＴＳパケットのフレーム構成図である。
【００３７】
図４によれば、複数のＴＳパケットが連続しており、これらはＡＲＩＢ ＳＴＤ−Ｂ３１規格に基づく。ＴＳパケットは、同期フラグと、情報部分と、ダミーバイト部分とからなる。ダミーバイト部分は、送信制御情報と、オプションのパリティとからなる。本発明の構成要素となる循環カウンタ値は、ISDB-T_information()の中のTSP_counterの値である。TSP_counterは、デジタル放送の変調モードによってその最大値が変動する。そのために、再送信装置１０は、ＴＳパケットから予め変調パラメータを取得し、適切な最大値を認識する。
【００３８】
図５は、本発明の再送信装置におけるＴＳパケット再送信状態の説明図である。
【００３９】
図５によれば、縦方向及び横方向は、時間経過を表す。横方向は、ＴＳパケットの受信順序であって、ＴＳＰカウンタ値が表されている。縦方向には、そのＴＳパケットが「有効○」又は「無効×」と判定された時点を表す。
【００４０】
また、以下の変数を用いる。
ｎ：ＴＳＰカウンタ値が連続している連続正常受信数
Ｎ：「有効」と判定するための連続正常受信数の閾値（例えばＮ＝４）
ｔ：連続破棄受信数
Ｔ：停波信号を送信するための連続破棄受信数の閾値（例えばＴ＝５）
ＮＳ：受信したＴＳパケットの現ＴＳＰカウンタ値
ＢＳ：直前に受信したＴＳパケットの直前ＴＳＰカウンタ値
【００４１】
連続破棄受信数ｔは、具体的には、以下のように表される。
連続破棄受信数ｔ＝
（直前までに破棄された受信パケット数）＋
（今後、破棄される可能性のある受信パケット数）
「今後、破棄される可能性のある受信パケット数」は、ＴＳＰカウンタ値の連続／不連続に関わらない。即ち、ＴＳＰカウンタ値の連続時においても「ｔ＝ｔ＋１」をする。ＴＳＰカウンタ値が連続していても、連続正常受信数ｎが閾値Ｎ以上とならない限り、それらＴＳパケットは破棄される可能性があることを意味する。
【００４２】
最初に、直前ＴＳＰカウンタ値ＢＳ＝−１とする。
（Ｓ５０１）現ＴＳＰカウンタ値［９９］を受信した場合、直前ＴＳＰカウンタ値［０］と不連続であるので、ＴＳパケット［９９］を保留蓄積し、連続破棄受信数ｔ＝１（連続正常受信数ｎ＝０）とする。
【００４３】
（Ｓ５０２）現ＴＳＰカウンタ値［５２］を受信した場合、直前ＴＳＰカウンタ値［９９］と不連続であるので、ＴＳパケット［９９］を破棄し、ＴＳパケット［５２］を保留蓄積し、連続破棄受信数ｔ＝２（連続正常受信数ｎ＝０）とする。
【００４４】
（Ｓ５０３）現ＴＳＰカウンタ値［１６］を受信した場合、直前ＴＳＰカウンタ値［５２］と不連続であるので、ＴＳパケット［５２］を破棄し、ＴＳパケット［１６］を保留蓄積し、連続破棄受信数ｔ＝３（連続正常受信数ｎ＝０）とする。
【００４５】
（Ｓ５０４）現ＴＳＰカウンタ値［１７］を受信した場合、直前ＴＳＰカウンタ値［１６］と連続であるので、ＴＳパケット［１７］を更に保留蓄積し、連続正常受信数ｎ＝１（連続破棄受信数ｔ＝４）とする。
【００４６】
（Ｓ５０５）現ＴＳＰカウンタ値［１８］を受信した場合、直前ＴＳＰカウンタ値［１７］と連続であるので、ＴＳパケット［１８］を更に保留蓄積し、連続正常受信数ｎ＝２（連続破棄受信数ｔ＝５）とする。
【００４７】
（Ｓ５０６）現ＴＳＰカウンタ値［１９］を受信した場合、直前ＴＳＰカウンタ値［１８］と連続であるので、ＴＳパケット［１９］を更に保留蓄積し、連続正常受信数ｎ＝３（連続破棄受信数ｔ＝６）とする。
【００４８】
（Ｓ５０７）現ＴＳＰカウンタ値［２０］を受信した場合、直前ＴＳＰカウンタ値［１９］と連続であるので、ＴＳパケット［２０］を更に保留蓄積し、連続正常受信数ｎ＝４とする。このとき、ｎ＝Ｎ＝４となっているので、保留蓄積されたＴＳパケット［１６］［１７］［１８］［１９］［２０］を全て有効と判定し、受信装置２に対して送信する。そして、連続破棄受信数ｔ＝０にリセットする。
【００４９】
（Ｓ５０８）現ＴＳＰカウンタ値［２１］を受信した場合、直前ＴＳＰカウンタ値［２０］と連続であるので、ＴＳパケット［２１］を有効と判定して受信装置２へ送信し、連続正常受信数ｎ＝５（連続破棄受信数ｔ＝０）とする。
【００５０】
（Ｓ５０９）現ＴＳＰカウンタ値［２２］を受信した場合、直前ＴＳＰカウンタ値［２１］と連続であるので、ＴＳパケット［２２］を有効と判定して受信装置２へ送信し、連続正常受信数ｎ＝６（連続破棄受信数ｔ＝０）とする。
【００５１】
（Ｓ５１０）現ＴＳＰカウンタ値［２５］を受信した場合、直前ＴＳＰカウンタ値［２２］と不連続であるので、ＴＳパケット［２５］を保留蓄積し、連続破棄受信数ｔ＝１とする。また、連続正常受信数ｎ＝０にリセットする。
【００５２】
（Ｓ５１１）現ＴＳＰカウンタ値［３１］を受信した場合、直前ＴＳＰカウンタ値［２５］と不連続であるので、ＴＳパケット［２５］を破棄し、ＴＳパケット［３１］を保留蓄積し、連続破棄受信数ｔ＝２（連続正常受信数ｎ＝０）とする。
【００５３】
（Ｓ５１２）現ＴＳＰカウンタ値［３２］を受信した場合、直前ＴＳＰカウンタ値［３１］と連続であるので、ＴＳパケット［３２］を更に保留蓄積し、連続正常受信数ｎ＝１（連続破棄受信数ｔ＝３）とする。
【００５４】
（Ｓ５１３）現ＴＳＰカウンタ値［３３］を受信した場合、直前ＴＳＰカウンタ値［３２］と連続であるので、ＴＳパケット［３３］を更に保留蓄積し、連続正常受信数ｎ＝２（連続破棄受信数ｔ＝４）とする。
【００５５】
（Ｓ５１４）現ＴＳＰカウンタ値［６８］を受信した場合、直前ＴＳＰカウンタ値［３３］と不連続であるので、ＴＳパケット［３１］［３２］［３３］を全て破棄し、ＴＳパケット［６８］を保留蓄積し、連続破棄受信数ｔ＝５とする。そして、連続正常受信数ｎ＝０にリセットする。このとき、ｔ＝Ｔ＝５となっているので、「停波信号」を受信装置２に対して送信する。
【００５６】
（Ｓ５１５）現ＴＳＰカウンタ値［８６］を受信した場合、直前ＴＳＰカウンタ値［６８］と不連続であるので、ＴＳパケット［６８］を破棄し、ＴＳパケット［８６］を保留蓄積し、連続破棄受信数ｔ＝６（連続正常受信数ｎ＝０）とする。
【００５７】
（Ｓ５１６）現ＴＳＰカウンタ値［８７］を受信した場合、直前ＴＳＰカウンタ値［８６］と連続であるので、ＴＳパケット［８７］を更に保留蓄積し、連続正常受信数ｎ＝１（連続破棄受信数ｔ＝７）とする。
【００５８】
（Ｓ５１７）現ＴＳＰカウンタ値［８８］を受信した場合、直前ＴＳＰカウンタ値［８７］と連続であるので、ＴＳパケット［８８］を更に保留蓄積し、連続正常受信数ｎ＝２（連続破棄受信数ｔ＝８）とする。
【００５９】
（Ｓ５１８）現ＴＳＰカウンタ値［８９］を受信した場合、直前ＴＳＰカウンタ値［８８］と連続であるので、ＴＳパケット［８９］を更に保留蓄積し、連続正常受信数ｎ＝３（連続破棄受信数ｔ＝９）とする。
【００６０】
（Ｓ５１９）現ＴＳＰカウンタ値［９０］を受信した場合、直前ＴＳＰカウンタ値［８９］と連続であるので、ＴＳパケット［９０］を更に保留蓄積し、連続正常受信数ｎ＝４とする。このとき、ｎ＝Ｎ＝４となっているので、保留蓄積されたＴＳパケット［８６］［８７］［８８］［８９］［９０］を全て有効と判定し、受信装置２に対して送信する。そして、連続破棄受信数ｔ＝０にリセットする。
【００６１】
（Ｓ５２０）現ＴＳＰカウンタ値［９１］を受信した場合、直前ＴＳＰカウンタ値［９０］と連続であるので、ＴＳパケット［９１］を有効と判定して受信装置２へ送信し、連続正常受信数ｎ＝５（連続破棄受信数ｔ＝０）とする。
【００６２】
図６は、本発明の再送信装置におけるＴＳパケット判定部のフローチャートである。
【００６３】
図６によれば、ＴＳパケット判定部１０２が、ＴＳパケット受信部１０１からＴＳパケットを受信した際に実行される処理フローである。
【００６４】
（Ｓ６０１）最初に、ＴＳパケットから、ＴＳＰカウンタ(TSP_conter)値を取得する。
（Ｓ６０２）現に受信したＴＳパケットの現ＴＳＰカウンタ値が、先に記憶された直前ＴＳＰカウンタ値に連続しているか否かを判定する。
【００６５】
（Ｓ６０３）現ＴＳＰカウンタ値が、直前ＴＳＰカウンタ値に連続している場合、直前ＴＳＰカウンタ値に、現ＴＳＰカウンタ値を代入する。
（Ｓ６０４）現に受信したＴＳパケットを、バッファに保留蓄積する。連続正常受信数ｎが閾値Ｎよりも小さい（ｎ＜Ｎ）限り、複数のＴＳパケットが、バッファに保留蓄積される。
【００６６】
（Ｓ６０５）連続正常受信数ｎが、ｎ＝ｎ＋１にされる。
（Ｓ６０６）連続破棄受信数ｔが、ｔ＝ｔ＋１にされる。ＴＳＰカウンタ値が連続していても、連続正常受信数ｎが閾値Ｎ以上とならない限り、それらＴＳパケットは破棄される可能性があることを意味する。
【００６７】
（Ｓ６０７）連続正常受信数ｎが、第１の所定閾値数Ｎ以上であるか否かを判定する。連続正常受信数ｎが閾値Ｎよりも小さい（ｎ＜Ｎ）場合、ＴＳパケットが保留蓄積されているけれども、まだ有効と判断することができない。従って、そのまま、処理を終了する。
（Ｓ６０８）連続正常受信数ｎが閾値Ｎ以上（ｎ≧Ｎ）である場合、保留蓄積されている複数のＴＳパケットは全て連続であって、且つ有効とみなされる。そして、保留蓄積されている全てのＴＳパケットは、ペイロード形成部１０３へ出力され、受信装置２へ送信される。
（Ｓ６０９）このとき、連続破棄受信数ｔ＝０にリセットされる。
【００６８】
（Ｓ６１３）現ＴＳＰカウンタ値が、直前ＴＳＰカウンタ値に連続していない場合、保留蓄積しているＴＳパケットの全てを、破棄する。
（Ｓ６１４）次に、直前ＴＳＰカウンタ値に、現ＴＳＰカウンタ値を代入する。
（Ｓ６１５）現に受信したＴＳパケットを、バッファに保留蓄積する。そのＴＳパケットを最初として、その後、連続した正常なＴＳパケットが受信される可能性があるからである。
【００６９】
（Ｓ６１６）連続正常受信数ｎ＝０にリセットされる。
（Ｓ６１７）連続破棄受信数ｔが、ｔ＝ｔ＋１にされる。
【００７０】
（Ｓ６１８）連続破棄受信数ｔが、閾値Ｔと一致したか否かを判定する。連続破棄受信数ｔが閾値Ｔと一致しない場合、そのまま、処理を終了する。
（Ｓ６１９）連続破棄受信数ｔが、閾値Ｔと一致した場合、放送波が正常に受信されていないと判定される。このとき、「停波信号」がペイロード形成部１０３へ出力され、受信装置２へ送信される。
【００７１】
以上、詳細に説明したように、本発明の再送信装置、設備システム、プログラム及び方法によれば、放送パケットを再送信する際に、ＩＰネットワークにおける通信リソースを無駄に消費することなく、放送波自体が受信できていないことを受信装置へ明示的に通知することができる。
【００７２】
前述した本発明における種々の実施形態によれば、当業者は、本発明の技術思想及び見地の範囲における種々の変更、修正及び省略を容易に行うことができる。前述の説明はあくまで例であって、何ら制約しようとするものではない。本発明は、特許請求の範囲及びその均等物として限定するものにのみ制約される。
【図面の簡単な説明】
【００７３】
【図１】従来技術におけるシステム構成図である。
【図２】本発明におけるシステム構成図である。
【図３】本発明における再送信装置の機能構成図である。
【図４】ＴＳパケットのフレーム構成図である。
【図５】本発明の再送信装置におけるＴＳパケット再送信状態の説明図である。
【図６】本発明の再送信装置におけるＴＳパケット判定部のフローチャートである。
【符号の説明】
【００７４】
１  再送信設備システム
１０  再送信装置
１０１  ＴＳパケット受信部
１０２  ＴＳパケット判定部
１０３  ペイロード形成部
１０４  ＲＴＰ処理部
１０５  ＩＰマルチキャスト送信部
１１  チューナ
１２  アンテナ
２  受信装置
２１  ＩＰパケット受信部
２２  ＲＴＰ処理部
２３  ＲＦ信号生成部
３  ＩＰネットワーク
４  放送局
５  再生装置
【図１】
0005031503.tif 000002
【図２】
0005031503.tif 000003
【図３】
0005031503.tif 000004
【図４】
0005031503.tif 000005
【図５】
0005031503.tif 000006
【図６】
0005031503.tif 000007